(57)【要約】  【課題】自動製氷装置を備えた冷蔵庫に関して、ヒータの通電率を下げても給水パイプの凍結防止を図り、冷凍室の温度上昇を防ぐと共に消費電力量を低減する。  【解決手段】給水パイプ３３の第二の開口部３５に断熱部材３９を巻き付けることにより、送風機から送られる冷気によって、給水パイプ３３の第二の開口部３５が冷却されるのを抑制することで給水パイプ３３の温度低下を防ぎ、ヒータの通電率を下げることができ、冷凍室の温度上昇を防ぐと共に消費電力量を低減することが出来るものである。【選択図】図２
2008039248.tif 000002
【特許請求の範囲】
【請求項１】
樹脂製の外枠とその外枠内に内蔵された発泡材から構成された仕切り壁によって、上室を冷蔵室、下室を冷凍室または製氷室とに分けられた冷蔵庫において、冷蔵室底面に載置される給水タンクと、給水タンクの近傍に配置され、給水タンクの水を送り出す給水ポンプと、冷蔵室から前記発泡材内を経由して冷凍室に至るまで配設され、両端に第一の開口部、第二の開口部を有し、第一の開口部が給水ポンプと接続し、第二の開口部が前記外枠下面の穴部より突出した給水パイプと、給水パイプ外周に設けられたヒータと、ヒータと給水パイプの上を覆って、ヒータの熱を給水パイプに伝えるアルミハクと、第二の開口部の外周に巻き付けられた断熱部材と、第二の開口部の真下に位置するように備えられた給水皿から構成されることを特徴とする自動製氷装置を搭載した冷蔵庫。
【請求項２】
給水パイプの第二の開口部が突出している樹脂製の外枠下面に、第二の開口部と送風機の間に位置するように、リブを設けたことを特徴とする請求項１に記載の冷蔵庫。
【請求項３】
給水パイプの第二の開口部が突出している樹脂製の外枠下面の穴部を凹部に設け、第二の開口部を凹部内に位置させたことを特徴とする請求項１に記載の冷蔵庫。
【請求項４】
給水パイプ外周に巻き付けられたブチルゴムの上にヒータが設けられ、その上からアルミハクが覆ったことを特徴とする請求項１に記載の冷蔵庫。
【請求項５】
給水パイプ周囲に設けられた溝部にヒータを沿わせて配設し、その上からアルミハクが覆ったことを特徴とする請求項１に記載の冷蔵庫。
【請求項６】
給水パイプがアルミ製のパイプと樹脂製のパイプが連結したものから構成され、樹脂製パイプが下流に位置することを特徴とする請求項１に記載の冷蔵庫。
【発明の詳細な説明】
【技術分野】
【０００１】
本発明は、自動製氷装置を備えた冷蔵庫に関するものである。
【背景技術】
【０００２】
従来、この種の冷蔵庫は、冷蔵室と冷凍室の仕切り壁に載置される給水タンクと給水タンク内水の凍結防止用として給水タンクの下部へヒータが配設されている（例えば、特許文献１参照）。
【０００３】
図１１は特許文献１に記載された従来の冷蔵庫の断面図、図１２は自動製氷装置部の断面図、図１３は冷蔵室内の斜視図で、給水タンクや給水ポンプを取り除いている。
【０００４】
図１１，１２、１３において、冷蔵室１の下部には冷凍室２が設けられており、冷蔵室１と冷凍室２との間には、組み立て性及びウレタンの流動性から断熱材として発泡材３が内蔵された仕切り壁４が設けられている。仕切り壁４上部には水を貯蔵するための給水タンク５とその水を冷凍室２側へ供給する部材が設けられている。給水タンク５は水を替えるタンクであり、冷蔵室１内に抜き差し自在の構造となっており、給水タンク５内の水を供給するための吸出し管部６がある。水を冷凍室２側へ供給する部材は、給水タンク５内から水を吸い上げるための給水ポンプ７と給水タンク５の吸出し管部６を接続する管継ぎ手部材８によって構成され、給水ポンプ７のａ側に給水ポンプ７と冷凍室２に設けられた給水皿９へ導く給水パイプ１０の第一の開口部１１が接続され、給水ポンプ７の奥側から仕切り壁４を経て冷凍室２に配設され、給水パイプ１０の第二の開口部１２は、仕切り壁４の下面に設けられた穴部１３から突出されている。給水パイプ１０の上部には給水パイプ１０を断熱する発泡材による断熱カバー１４と樹脂製の化粧カバー１５が被さる構成となっている。また、給水パイプ１０の表面にはヒータ１６が設けられ、ヒータ１６の上から給水パイプ１０への伝熱用アルミハク１７ａと仕切り壁４への伝熱用アルミハク１７ｂが貼り付けられている。一方、冷凍室２は、風路構成用のダクト１８の奥面へ配設された蒸発器１９によって発生した冷気を送風機２０によって庫内に強制対流を起こすことで冷却されていて、その冷気を使って、第二の開口部１２の下部に氷を作るために設けられた給水皿９が冷却されている。また、給水皿９内の温度を検知する温度検知手段２１が給水皿９下部に設けられている。給水皿９の近傍には給水皿９を回転させるための離氷モーター２２が配設され、給水皿９の下部に出来た氷を受ける氷受け皿２３が配設されている。
【０００５】
以上のように構成された自動製氷装置を備えた冷蔵庫について、以下その動作を説明する。
【０００６】
給水タンク５に貯蔵された水が給水ポンプ７により吸い上げられ、吸出し管部６、管継ぎ手部材８を通り、給水ポンプ７を経て給水パイプ１０を通り給水皿９へ一定量給水される。給水皿９は、給水皿９内の温度を検知する温度検知手段２１により一定温度以下になると氷が精製されたことを検知し、離氷モーター２２により給水皿９が回転し離氷し、氷受け皿２３へ氷を落とす機構となっている。給水パイプ１０は第二の開口部１２が送風機２０によって導かれた冷気により冷却され、また、給水パイプ１０が冷却されることにより給水タンク５が冷却されるが、ヒータ１６に適宜通電されているため給水パイプ１０や給水タンク５の凍結は防止されている。
【特許文献１】特開平１１−８３２７８号公報
【発明の開示】
【発明が解決しようとする課題】
【０００７】
しかしながら、上記従来の構成では、ヒータの発熱による冷凍室の温度上昇とヒータの入力により消費電力量が増えるという課題を有していた。
【０００８】
本発明は、上記従来の課題を解決するもので、ヒータの通電率を抑えることで冷凍室の温度上昇を防ぐと共に消費電力量を低減した自動製氷装置を備えた冷蔵庫を提供することを目的とする。
【課題を解決するための手段】
【０００９】
上記従来の課題を解決するために、本発明の自動製氷装置を備えた冷蔵庫は、樹脂製の外枠とその外枠内に内蔵された発泡材から構成された仕切り壁によって、上室を冷蔵室、下室を冷凍室または製氷室とに分けられた冷蔵庫において、冷蔵室底面に載置される給水タンクと、給水タンクの近傍に配置され、給水タンクの水を送り出す給水ポンプと、冷蔵室から前記発泡材を経由して冷凍室に至るまで配設され、両端に第一の開口部、第二の開口部を有し、第一の開口部が給水ポンプと接続し、第二の開口部が前記外枠下面の穴部より突出した給水パイプと、前記発泡材中に位置する給水パイプの上部を覆っている発泡材製の断熱カバーと樹脂製の化粧カバーで構成される給水パイプカバーと、給水パイプ外周に設けられたヒータと、ヒータと給水パイプの上を覆って、ヒータの熱を給水パイプに伝えるアルミハクと、第二の開口部の外周に巻き付けられた断熱部材と、第二の開口部の真下に位置するように備えられた給水皿から構成されることを特徴としたものである。
【００１０】
これによって、第二の開口部は冷凍室から受ける冷気により冷やされるが、第二の開口部の外周に巻き付けられた断熱部材により、第二の開口部の温度低下を抑制でき、ヒータの通電率を下げることが出来る。
【発明の効果】
【００１１】
本発明の自動製氷装置を備えた冷蔵庫は、第二の開口部の外周に巻き付けられた断熱部材により、第二の開口部の温度低下を抑制でき、ヒータの通電率を下げることができ、冷凍室の温度上昇を防ぐと共に消費電力量を低減することが出来る。
【発明を実施するための最良の形態】
【００１２】
請求項１に記載の発明は、樹脂製の外枠とその外枠内に内蔵された発泡材から構成された仕切り壁によって、上室を冷蔵室、下室を冷凍室または製氷室とに分けられた冷蔵庫において、冷蔵室底面に載置される給水タンクと、給水タンクの近傍に配置され、給水タンクの水を送り出す給水ポンプと、冷蔵室から前記発泡材を経由して冷凍室に至るまで配設され、両端に第一の開口部、第二の開口部を有し、第一の開口部が給水ポンプと接続し、第二の開口部が前記外枠下面の穴部より突出した給水パイプと、前記発泡材中に位置する給水パイプの上部を覆っている発泡材製の断熱カバーと樹脂製の化粧カバーで構成される給水パイプカバーと、給水パイプ外周に設けられたヒータと、ヒータと給水パイプの上を覆って、ヒータの熱を給水パイプに伝えるアルミハクと、第二の開口部の外周に巻き付けられた断熱部材と、第二の開口部の真下に位置するように備えられた給水皿から構成されていることにより、第二の開口部の温度低下を抑制でき、ヒータの通電率を下げることができ、冷凍室の温度上昇を防ぐと共に消費電力量を低減することが出来る。
【００１３】
請求項２に記載の発明は、請求項１に記載の発明において、給水パイプの第二の開口部が突出している樹脂製の外枠下面に、第二の開口部と送風機の間に位置するように、リブを設けたことにより、第二の開口部の温度低下を抑制でき、ヒータの通電率を下げることができ、冷凍室の温度上昇を防ぐと共に消費電力量を低減することが出来る。
【００１４】
請求項３に記載の発明は、請求項１に記載の発明において、給水パイプの第二の開口部が突出している樹脂製の外枠下面の穴部を凹部に設け、第二の開口部を凹部内に位置させたことにより、第二の開口部の温度低下を抑制でき、ヒータの通電率を下げることができ、冷凍室の温度上昇を防ぐと共に消費電力量を低減することが出来る。
【００１５】
請求項４に記載の発明は、請求項１に記載の発明において、給水パイプ外周に巻き付けられたブチルゴムの上にヒータが設けられ、その上からアルミハクが覆ったことにより、ブチルを介してヒータと給水パイプの接触面積が増加するので、ヒータの通電率を下げることができ、冷凍室の温度上昇を防ぐと共に消費電力量を低減することが出来る。
【００１６】
請求項５に記載の発明は、請求項１に記載の発明において、給水パイプ周囲に溝部を設け、ヒータを溝部に沿わせて配設したことにより、ヒータと給水パイプの接触面積が増加するので、ヒータの通電率を下げることができ、冷凍室の温度上昇を防ぐと共に消費電力量を低減することが出来る。
【００１７】
請求項６に記載の発明は、請求項１に記載の発明において、給水パイプがアルミ製のパイプと樹脂製のパイプが連結したものから構成され、樹脂製パイプが下流に位置することにより、ヒータの熱が効率良く下流の樹脂製のパイプに伝わると共に下流を樹脂製パイプとしたので冷気が当たっても温度低下を抑制でき、ヒータの通電率を下げることができ、冷凍室の温度上昇を防ぐと共に消費電力量を低減することが出来る。
【００１８】
以下、本発明の実施の形態について、図面を参照しながら説明するが、従来例または先に説明した実施の形態と同一構成について同一符号を付して、その詳細な説明は省略する。なお、この実施の形態によって、この発明が限定されるものではない。
【００１９】
（実施の形態１）
図１は、本発明の実施の形態１における冷蔵庫の断面図、図２は自動製氷装置部の断面図である。
【００２０】
図１、２において、冷蔵庫本体２４は、上部に配置された冷蔵室２５と下部に配置された冷凍室２６とに仕切られ、冷蔵室２５と冷凍室２６との間には、仕切り壁２７が設けられていて、樹脂製の外枠２８の中に発泡材２９が内蔵されている。冷蔵室２５は、冷気の自然対流による直接冷却方式にて冷却される部屋であり、内箱３０の奥面に蒸発器３１が配設されている。冷凍室２６は送風機２０による間接冷却方式であり、蒸発器１９は風路構成用のダクト１８の奥面へ配設されている。また、３２は自動製氷装置部である。給水ポンプ７のａ側に給水ポンプ７により給水タンク５より給水された水を給水皿９へ導く給水パイプ３３の第一の開口部３４が接続され、給水ポンプ７の奥側から仕切り壁２７を経て配設され、給水パイプ３３の第二の開口部３５は、外枠２８の下面に設けられた穴部３６から突出されている。給水パイプ３３の上部には給水パイプ３３を断熱する断熱カバー３７と化粧カバー３８が被さる構成となっている。また、送風機２０から送られる冷気によって、給水パイプ３３の第二の開口部３５が冷却されるのを抑制するため、断熱部材３９が第二の開口部３５の周囲に巻き付けられている。給水パイプ３３の表面にはヒータ４０が設けられ、その上からアルミハク４１が巻き付けられている。
【００２１】
以上のような構成において、以下にその動作・作用を説明する。
【００２２】
まず、給水タンク５に貯蔵された水が給水ポンプ７により吸い上げられ、吸出し管部６、管継ぎ手部材８を通り、給水ポンプ７を経て給水パイプ３３を通り給水皿９へ一定量給水される。給水皿９は、給水皿９内の温度を検知する温度検知手段２１により一定温度以下になると氷が精製されたことを検知し、離氷モーター２２により給水皿９が回転し離氷し、氷受け皿２３へ氷を落とす機構となっている。ここで自動製氷装置の給水パイプ３３において、第二の開口部３５の周囲を断熱部材３９にて巻き付けることにより、送風機２０から送られる冷気によって、給水パイプ３３の第二の開口部３５が冷却されるのを抑制している。
【００２３】
以上のように、本実施の形態においては、自動製氷装置の給水パイプ３３において、第二の開口部３５の周囲を断熱部材３９にて巻き付けることにより、送風機２０から送られる冷気によって、給水パイプ３３の第二の開口部３５が冷却されるのを抑制し、第二の開口部３５の温度低下を防ぎ、ヒータ４０の通電率を下げることができ、冷凍室２６の温度上昇を防ぐと共に消費電力量を低減することが出来る。
【００２４】
（実施の形態２）
図３は、本発明の実施の形態２における自動製氷装置部の断面図である。
【００２５】
図３において、４２は、上部の冷蔵室２５と下部の冷凍室２６を分ける仕切り壁で、樹脂製の外枠４３の中に発泡材２９が内蔵されている。給水パイプ３３の第二の開口部３５は、外枠４３の下面に設けられた穴部４４から突出している。また、第二の開口部３５と送風機２０間に位置するように、穴部４４の近傍にリブ４５が設けられている。
【００２６】
以上のような構成において、以下にその動作・作用を説明する。
【００２７】
まず、自動製氷装置の給水パイプ３３において、第二の開口部３５が突出している穴部４４の周囲にリブ４５を形成することにより、送風機２０から送られる冷気によって、給水パイプ３３の第二の開口部３５が冷却されるのを抑制している。
【００２８】
以上のように、本実施の形態においては、自動製氷装置の給水パイプ３３において、第二の開口部３５が突出している穴部４４の周囲にリブ４５を形成することにより、送風機２０から送られる冷気によって、給水パイプ３３の第二の開口部３５が冷却されるのを抑制し、第二の開口部３５の温度低下を防ぎ、ヒータ４０の通電率を下げることができ、冷凍室２６の温度上昇を防ぐと共に消費電力量を低減することが出来る。
【００２９】
（実施の形態３）
図４は、本発明の実施の形態３における自動製氷装置部の断面図である。
【００３０】
図４において、４６は、上部の冷蔵室２５と下部の冷凍室２６を分ける仕切り壁で、樹脂製の外枠４７の中に発泡材４８が内蔵されている。外枠４７の下面には凹部４９が形成され、給水パイプ３３の第二の開口部３５は、凹部４９内に位置する様、凹部４９に設けられた穴部５０から突出している。
【００３１】
以上のような構成において、以下にその動作・作用を説明する。
【００３２】
まず、自動製氷装置の給水パイプ３３において、第二の開口部３５を外枠４７下面の凹部４９内に位置させることにより、送風機２０から送られる冷気によって、給水パイプ３３の第二の開口部３５が冷却されるのを抑制している。
【００３３】
以上のように、本実施の形態においては、自動製氷装置の給水パイプ３３において、第二の開口部３５を外枠４７下面の凹部４９内に位置させることにより、送風機２０から送られる冷気によって、給水パイプ３３の第二の開口部３５が冷却されるのを抑制し、第二の開口部３５の温度低下を防ぎ、ヒータ４０の通電率を下げることができ、冷凍室２６の温度上昇を防ぐと共に消費電力量を低減することが出来る。
【００３４】
（実施の形態４）
図５は、本発明の実施の形態４における自動製氷装置部の断面図、図６は給水パイプの断面図である。
【００３５】
図５、図６において、５１はヒータで、給水パイプ３３の周囲に巻き付かれているブチルゴム５２の上に設けられている。５３はアルミハクで、ヒータ５１の上から給水パイプ３３を覆うように巻き付かれている。
【００３６】
以上のような構成において、以下にその動作・作用を説明する。
【００３７】
まず、自動製氷機の給水パイプ３３の上にブチルゴム５２を介してヒータ５１を設け、ヒータ５１の上からアルミハク５３を巻き付けることで、ヒータ５１はブチルゴム５２内に沈み込み、ヒータ５１とブチルゴム５２とは面接触することになる。そのため、ヒータ５１の熱は効率良くブチルゴム５２に伝えられる。
【００３８】
以上のように、本実施の形態においては、自動製氷機の給水パイプ３３の上にブチルゴム５２を介してヒータ５１を設け、ヒータ５１の上からアルミハク５３を巻き付けることで、ヒータ５１はブチルゴム５２内に沈み込み、ヒータ５１とブチルゴム５２とは面接触することになる。そのため、ヒータ５１の熱は効率良くブチルゴム５２に伝えられ、ブチルゴム５２は給水パイプ３３を覆っているので給水パイプ３３にもヒータ５１の熱が効率良く伝えられ、ヒータ５１の通電率を下げることができ、冷凍室２６の温度上昇を防ぐと共に消費電力量を低減することが出来る。
【００３９】
（実施の形態５）
図７は、本発明の実施の形態５における自動製氷装置部の断面図、図８は給水パイプの断面図である。
【００４０】
図７、図８において、５４はヒータで、給水パイプ５５に設けられた溝部５６に配設され、アルミハク５７にて覆われている。
【００４１】
以上のような構成において、以下にその動作・作用を説明する。
【００４２】
まず、ヒータ５４を給水パイプ５５の溝部５６に配設することで、ヒータ５４と給水パイプ５５とは面接触することになるので、ヒータ５４の熱は効率良く給水パイプ５５に伝えることができる。
【００４３】
以上のように、本実施の形態においては、ヒータ５４を給水パイプ５５の溝部５６に配設することで、ヒータ５４と給水パイプ５５とは面接触することになるので、ヒータ５４の熱は効率良く給水パイプ５５に伝えることができ、ヒータ５４の通電率を下げることができ、冷凍室２６の温度上昇を防ぐと共に消費電力量を低減することが出来る。
【００４４】
（実施の形態６）
図９は、本発明の実施の形態６における自動製氷装置部の断面図、図１０は給水パイプの中央断面図である。
【００４５】
図９、図１０において、５８は給水パイプで、アルミ製パイプ５９と樹脂製パイプ６０が連結したものである。給水ポンプ７のａ側にアルミ製パイプ５９の開口部６１が接続され、樹脂製パイプ６０の開口部６２は、外枠２８の下面に設けられた穴部３６から突出されている。６３はヒータでアルミ製パイプ５９と樹脂製パイプ６０の上にまたがって設けられている。６４はアルミハクで、ヒータ６３の上から給水パイプ５８を覆うように巻き付かれている。
【００４６】
以上のような構成において、以下にその動作・作用を説明する。
【００４７】
まず、熱伝導性の良いアルミ製パイプ５９を使用することにより、給水パイプ５８を効率良く温め、また、開口部６２が樹脂であるため送風機２０から送られる冷気によっても開口部６２が冷却されるのを抑制することができる。
【００４８】
以上のように、本実施の形態においては、熱伝導性の良いアルミ製パイプ５９を使用することにより、給水パイプ５８を効率良く温め、また、開口部６２が樹脂であるため送風機２０から送られる冷気によっても開口部６２が冷却されるのを抑制するので、ヒータ６３の通電率を下げることができ、冷凍室２６の温度上昇を防ぐと共に消費電力量を低減することが出来る。
【産業上の利用可能性】
【００４９】
以上のように、本発明にかかる自動製氷装置付き冷蔵庫は、給水パイプの凍結を解決する手段としてのヒータ入力の低減であるため、家庭用冷蔵庫だけではなく多種に渡る冷凍装置への適用もできる。
【図面の簡単な説明】
【００５０】
【図１】本発明の実施の形態１における冷蔵庫の断面図
【図２】本発明の実施の形態１における自動製氷装置部の断面図
【図３】本発明の実施の形態２における自動製氷装置部の断面図
【図４】本発明の実施の形態３における自動製氷装置部の断面図
【図５】本発明の実施の形態４における自動製氷装置部の断面図
【図６】本発明の実施の形態４における給水パイプの断面図
【図７】本発明の実施の形態５における自動製氷装置部の断面図
【図８】本発明の実施の形態５における給水パイプの断面図
【図９】本発明の実施の形態６における自動製氷装置部の断面図
【図１０】本発明の実施の形態６における給水パイプの中央断面図
【図１１】従来の冷蔵庫の断面図
【図１２】従来の自動製氷装置部の断面図
【図１３】従来の冷蔵室内の斜視図
【符号の説明】
【００５１】
５    給水タンク
７    給水ポンプ
９    給水皿
２５  冷蔵室
２６  冷凍室
２７，４６  仕切り壁
２８，４３，４７  樹脂製の外枠
２９，４８  発泡材
３３，５５，５８  給水パイプ
３４  第一の開口部
３５  第二の開口部
３６，４４，５０  穴部
３９  断熱部材
４０，５１，５４  ヒータ
４１，５３，５７  アルミハク
４５  リブ
４９  凹部
５２  ブチルゴム
５６  溝部
５９  アルミ製パイプ
６０  樹脂製パイプ
【図１】
2008039248.tif 000003
【図２】
2008039248.tif 000004
【図３】
2008039248.tif 000005
【図４】
2008039248.tif 000006
【図５】
2008039248.tif 000007
【図６】
2008039248.tif 000008
【図７】
2008039248.tif 000009
【図８】
2008039248.tif 000010
【図９】
2008039248.tif 000011
【図１０】
2008039248.tif 000012
【図１１】
2008039248.tif 000013
【図１２】
2008039248.tif 000014
【図１３】
2008039248.tif 000015